(57)【要約】【課題】様々な特性の換気装置を提供しようとした場合でも本体を変更せずコストがからないことを目的とする。【解決手段】モーター５にほぼ密着するようにディフューザ部７を設け、ディフューザ部７に複数の切り欠き部８を設け、切り欠き部８にかん合する爪部９を設けたディフューザ部７より大径な着脱式ディフューザ１０をディフューザ部７に覆うように取り付けたという構成にしたことにより、着脱式ディフューザ１０をディフューザ部７に覆うように取り付けたので、様々な特性の換気装置を提供しようとした場合でも本体を変更せずコストがからない換気装置を得られる。【選択図】図２
2015183904.tif 000002
【特許請求の範囲】
【請求項１】
室外と室内とを連通するように壁部に埋設された風洞パイプに装着される筒状部と、この筒状部の外周に半径方向に張り出した略方形状のフランジ部とを設けた本体フレームと、この本体フレームの前記筒状部内にモーター支持部を介して連結するモーターと、このモーターに軸支されプロペラ式の羽根車とを設け、前記モーターと前記羽根車との間にディフューザ部を設けたものであって、前記モーターにほぼ密着するように前記ディフューザ部を設け、前記ディフューザ部に複数の切り欠き部を設け、前記切り欠き部にかん合する爪部を設けた前記ディフューザ部より大径な着脱式ディフューザを前記ディフューザ部に覆うように取り付けたことを特徴とする換気装置。
【請求項２】
着脱式ディフューザに、ディフューザ部と密着するようにリブを設けたことを特徴とする請求項１に記載の換気装置。
【請求項３】
ディフューザ部のモーターが取り付く取付面が着脱式ディフューザの屋外の端面より屋外側に設けたことを特徴とする請求項１または２に記載の換気装置。
【請求項４】
爪部の上端を、傾斜部とかん合部で構成されたことを特徴とする請求項１に記載の換気装置。
【請求項５】
様々な外径の着脱式ディフューザをディフューザ部に覆うように取り付けることを特徴とする請求項１〜３のいずれかに記載の換気装置。
【請求項６】
着脱式ディフューザは特定の方向にのみかん合することを特徴とする請求項１〜３、５のいずれかに記載の換気装置。
【請求項７】
ディフューザ部に第１の目印を設け、前記第１の目印と対応する第２の目印を着脱式ディフューザに設けたことを特徴とする請求項１〜３、５、６のいずれかに記載の換気装置。
【発明の詳細な説明】
【技術分野】
【０００１】
本発明は、本発明は、換気装置本体に関するものである。
【背景技術】
【０００２】
従来、この種の換気装置は、本体とディフューザ部と一体となったものが知られている（例えば、特許文献１参照）。
【先行技術文献】
【特許文献】
【０００３】
【特許文献１】特開２０１２−２６６３５号公報
【発明の概要】
【発明が解決しようとする課題】
【０００４】
このような従来の換気装置においては、通風路の形状によって特性（静圧−風量特性）がある程度決まるが、様々な特性の換気装置を提供しようとした場合ディフューザ−部（静圧化部材）の形状を変更するが、変更しようとした場合ディフューザ部と一体となった本体を変更しなければならなくなるためコストがかかる、という課題を有していた。
【０００５】
そこで本発明は、上記従来の課題を解決するものであり、様々な特性の換気装置を提供しようとした場合でも本体を変更せずコストがからない換気装置を提供することを目的とする。
【課題を解決するための手段】
【０００６】
そして、この目的を達成するために、本発明は、室外と室内とを連通するように壁部に埋設された風洞パイプに装着される筒状部と、この筒状部の外周に半径方向に張り出した略方形状のフランジ部とを設けた本体フレームと、この本体フレームの前記筒状部内にモーター支持部を介して連結するモーターと、このモーターに軸支されプロペラ式の羽根車とを設け、前記モーターと前記羽根車との間にディフューザ部を設けたものであって、前記モーターにほぼ密着するように前記ディフューザ部を設け、前記ディフューザ部に複数の切り欠き部を設け、前記切り欠き部にかん合する爪部を設けた前記ディフューザ部より大径な着脱式ディフューザを前記ディフューザ部に覆うように取り付けたこととしたものであり、これにより所期の目的を達成するものである。
【発明の効果】
【０００７】
本発明によれば、室外と室内とを連通するように壁部に埋設された風洞パイプに装着される筒状部と、この筒状部の外周に半径方向に張り出した略方形状のフランジ部とを設けた本体フレームと、この本体フレームの前記筒状部内にモーター支持部を介して連結するモーターと、このモーターに軸支されプロペラ式の羽根車とを設け、前記モーターと前記羽根車との間にディフューザ部を設けたものであって、前記モーターにほぼ密着するように前記ディフューザ部を設け、前記ディフューザ部に複数の切り欠き部を設け、前記切り欠き部にかん合する爪部を設けた前記ディフューザ部より大径な着脱式ディフューザを前記ディフューザ部に覆うように取り付けた、という構成にしたことにより、着脱式ディフューザを前記ディフューザ部に覆うように取り付けたこととなるので、様々な特性の換気装置を提供しようとした場合でも本体を変更せずコストがからない、という効果を得ることができる。
【図面の簡単な説明】
【０００８】
【図１】本発明の実施の形態１の換気装置の全体を示す斜視図
【図２】同換気装置の断面図
【図３】同換気装置の本体フレームと着脱式ディフューザのみを示す斜視図
【図４】同換気装置の着脱式ディフューザを示す図
【図５】着脱式ディフューザを取り付けない場合と筒状部内径に対する着脱式ディフューザ外径の割合を変更したときの風量と静圧の関係を示す図
【発明を実施するための形態】
【０００９】
本発明の請求項１記載の換気装置は、室外と室内とを連通するように壁部に埋設された風洞パイプに装着される筒状部と、この筒状部の外周に半径方向に張り出した略方形状のフランジ部とを設けた本体フレームと、この本体フレームの前記筒状部内にモーター支持部を介して連結するモーターと、このモーターに軸支されプロペラ式の羽根車とを設け、前記モーターと前記羽根車との間にディフューザ部を設けたものであって、前記モーターにほぼ密着するように前記ディフューザ部を設け、前記ディフューザ部に複数の切り欠き部を設け、前記切り欠き部にかん合する爪部を設けた前記ディフューザ部より大径な着脱式ディフューザを前記ディフューザ部に覆うように取り付けた、という構成を有する。これにより、着脱式ディフューザを前記ディフューザ部に覆うように取り付けたこととなるので、様々な特性の換気装置を提供しようとした場合でも本体を変更せずコストがからない、という効果を奏する。
【００１０】
また、着脱式ディフューザに、ディフューザ部と密着するようにリブを設けた、という構成にしてもよい。これにより、送風されるほとんどの風が着脱式ディフューザの表面に沿って流れることとなるので、特性ばらつきを抑えて送風音の発生を抑制する、という効果を奏する。
【００１１】
また、ディフューザ部のモーターが取り付く取付面が着脱式ディフューザの屋外の端面より屋外側に設けた、という構成にしてもよい。これにより、モーターが着脱式ディフューザより屋外側へ設けたディフューザ部の取付面に取り付くことになるので、モーター５と着脱式ディフューザ１０とが接触しないため、モーターの振動が着脱式ディフューザに伝わることを抑制し振動音の発生を抑制することができる、という効果を奏する。
【００１２】
また、爪部の上端を、傾斜部とかん合部で構成された、という構成にしてもよい。これにより、着脱式ディフューザに押し込み方向へ力を加えると傾斜部に沿って爪部が外側へ変形して元に戻り切り欠き部とかん合部とがかん合することとなるので、着脱式ディフューザの取り付け性が向上し外力や衝撃が加わった際にも着脱式ディフューザの脱落を抑制することができる、という効果を奏する。
【００１３】
また、様々な外径の着脱式ディフューザをディフューザ部に覆うように取り付ける、という構成にしてもよい。これにより、様々な外径の着脱式ディフューザをディフューザ部に覆うように取り付けることとなるので、様々な風量−静圧特性にすることができる、という効果を奏する。
【００１４】
また、着脱式ディフューザは特定の方向にのみかん合すること、という構成にしてもよい。これにより、着脱式ディフューザは特定の方向にのみかん合することとなるので、特性ばらつきを抑えることができる、という効果を奏する。
【００１５】
また、ディフューザ部に第１の目印を設け、前記第１の目印と対応する第２の目印を着脱式ディフューザに設けた、という構成にしてもよい。これにより、第１の目印と第２の目印の方向を合わせてディフューザ部に着脱式ディフューザを取り付けることとなるので、着脱式ディフューザの取り付け方向がわかりやすくなり組立性が向上する、という効果を奏する。
【００１６】
以下、本発明の実施の形態について図面を参照しながら説明する。
【００１７】
（実施の形態１）
本実施の形態の換気装置は、図１〜図４に示すように室外（図示せず）と室内（図示せず）とを連通するように壁部に埋設された風洞パイプ（図示せず）に装着される室内の空気が筒状部１の内部を通過し、この筒状部１の外周に半径方向に張り出した室内側の壁との間に空間を有した略方形状のフランジ部２とを設けた本体フレーム３と、この本体フレーム３の筒状部１内すなわち内部にモーター支持部４を介して連結するモーター５と、このモーター５に軸支されるプロペラ式の羽根車６とを設け、モーター５と羽根車６との間に室内の空気が流入する側に湾曲を有したおわん型のディフューザ部７を設けたものであり、モーター５にほぼ密着するようにディフューザ部７を設け、ディフューザ部７に複数（この実施の形態１では３つ設けており、理由は取り付けたとき安定する最少の数）の後述する着脱式ディフューザの爪部とかん合する形状の切り欠けた切り欠き部８を設け、切り欠き部８にかん合する爪部９を設けたディフューザ部７より大径な、例えば直径がディフューザ部７の大径に対して約４０％大きい着脱式ディフューザ１０をディフューザ部７に覆い被さるように取り付ける。
【００１８】
これにより、着脱式ディフューザ１０をディフューザ部７に覆い被さるように取り付けたこととなるので、様々な特性（目的にあった風量や静圧や騒音）の換気装置を提供しようとした場合でも本体を変更せず、着脱式ディフューザ１０のみ変更すればよいのでコストが安価にすることができる、という効果を奏する。
【００１９】
また、着脱式ディフューザ１０に、ディフューザ部７と密着するように複数のディフューザ部７の形状に沿った形状のリブ１１を設ける。
【００２０】
これにより、送風されるほとんどの風が着脱式ディフューザ１０の表面に沿って流れることとなるので、
着脱式ディフューザ１０とディフューザ部７との間を通過する空気漏れによる特性ばらつきを抑えて送風音の発生を抑制する。
【００２１】
また、ディフューザ部７のモーター５が取り付く取付面１２が着脱式ディフューザ１０の屋外側の端面１３より屋外側に設けた、という構成にする。
【００２２】
これにより、モーター５が着脱式ディフューザ１０より屋外側へ設けたディフューザ部７の取付面１２に取り付くことなるので、モーター５と着脱式ディフューザ１０とが接触しないため、モーター５の振動が着脱式ディフューザ１０に伝わることを抑制し振動音の発生を抑制することができる。
【００２３】
また、爪部９の上端を、外周から中心に向かって下方へ傾斜する傾斜部１４と壁面と平行な直線状のかん合部１５とで構成する。
【００２４】
これにより、着脱式ディフューザ１０に押し込み方向すなわち室外側へ力を加えると傾斜部１４に沿って爪部９が外側へ変形して元に戻り切り欠き部８とかん合部１５とが接触してかん合することとなるので、着脱式ディフューザ１０の取り付け性が向上し外力や衝撃が加わった際にも着脱式ディフューザ１０の脱落を抑制することができる。
【００２５】
また、様々な外径の着脱式ディフューザ１０をディフューザ部７に覆うようにすなわち覆い被さるように取り付ける。
【００２６】
これにより、様々な外径の着脱式ディフューザ１０をディフューザ部７に覆うように取り付けることとなるので、筒状部１と着脱式ディフューザ１０との間の空間を調整することで様々な風量−静圧特性にすることができる。
【００２７】
また、図５は、着脱式ディフューザを取り付けない場合と筒状部１の内径に対する着脱式ディフューザ１０の外径の割合を変更したときの風量と静圧の関係を示した説明図である。本体フレーム３の筒状部１の内径に対する、ディフューザ部７に取り付ける着脱式ディフューザ１０の外径の割合が大きくなるほど、静圧は大きくなり、風量は小さくなるという効果を奏する。
【００２８】
これにより、着脱式ディフューザ１０の外径を変更し、ディフューザ部７に取り付けるだけで目的の静圧−風量特性を有する換気装置を得ることができる。
【００２９】
例えば、図５において、ディフューザ部７に着脱式ディフューザ１０を取り付けない場合と比較して、筒状部１の内径に対する着脱式ディフューザ１０の外径の割合が７７％の場合は、風量が１６％減少し、静圧が３２％増加する。また、着脱式ディフューザ１０を取り付けない場合と比較して、筒状部１の内径に対する着脱式ディフューザ１０の外径の割合が８６％の場合は、風量が２８％減少し、静圧が４１％増加する。また、着脱式ディフューザ１０を取り付けない場合と比較して、筒状部１の内径に対する着脱式ディフューザ１０の外径の割合が９５％の場合は、風量が４３％減少し、静圧が４１％増加する。
【００３０】
また、着脱式ディフューザ１０の外径を変更し、ディフューザ部７に取り付けることで目的の騒音値を有する換気装置を得ることができる（図示せず）。
【００３１】
例えば、ディフューザ部７に着脱式ディフューザ１０を取り付けない場合と比較して、筒状部１の内径に対する着脱式ディフューザ１０の外径の割合が７７％の場合は、騒音値が７％減少する。また、着脱式ディフューザ１０を取り付けない場合と比較して、筒状部１の内径に対する着脱式ディフューザ１０の外径の割合が８６％の場合は、騒音値が３％減少する。また、着脱式ディフューザ１０を取り付けない場合と比較して、筒状部１の内径に対する着脱式ディフューザ１０の外径の割合が９５％の場合は、騒音値は同等である。
【００３２】
また、着脱式ディフューザ１０は特定の方向にのみかん合するという構成にする。
【００３３】
これにより、着脱式ディフューザ１０は特定の方向にのみかん合することとなるので、製造ばらつきによる空気の流れ方や筒状部１と着脱式ディフューザ１０との間の空間の変化による特性（風量や静圧や騒音）ばらつきを抑えることができる。
【００３４】
また、ディフューザ部７の例えば湾曲している面に第１の目印（図示せず）を設け、第１の目印と対応する第２の目印（図示せず）を着脱式ディフューザ１０に設ける。
【００３５】
これにより、第１の目印と第２の目印の方向を合わせてディフューザ部７に着脱式ディフューザ１０を取り付けることとなるので、着脱式ディフューザ１０の取り付け方向がわかりやすくなり組立性が向上することができる。
【産業上の利用可能性】
【００３６】
本発明にかかる換気装置は、様々な特性の換気装置を提供しようとした場合でも本体を変更せずコストがからないことを可能とするものであるので、空気調和機等として有用である。
【符号の説明】
【００３７】
１    筒状部
２    フランジ部
３    本体フレーム
４    モーター支持部
５    モーター
６    羽根車
７    ディフューザ部
８    切り欠き部
９    爪部
１０  着脱式ディフューザ
１１  リブ
１２  取付面
１３  端面
１４  傾斜部
１５  かん合部
【図１】
2015183904.tif 000003
【図２】
2015183904.tif 000004
【図３】
2015183904.tif 000005
【図４】
2015183904.tif 000006
【図５】
2015183904.tif 000007